(57)【特許請求の範囲】
【請求項１】
複数の離散トレランス・リング・パネルであって、各トレランス・リング・パネルは未形成部分を含む円弧状の側壁と、前記円弧状の側壁から延在する少なくとも一つの突出部とを有する複数の離散トレランス・リング・パネル、を備えるトレランス・リングであって、
前記突出部は、前記円弧状の側壁の前記未形成部分によって囲われ、
前記トレランス・リングは、内側構成要素と外側構成要素との間の締まりばめで展開され内側構成要素と外側構成要素との間にトルク結合を提供し、前記トレランス・リングは、互いに対して前記パネルを適所で維持するために、前記パネルに固定される支持構造を更に有し、前記支持構造は前記トレランス・リングが前記内側構成要素と前記外側構成要素との間に設置された後に溶媒で除去されるように構成されている、トレランス・リング。
【請求項２】
内側構成要素と、
前記内側構成要素の周りに設置される外側構成要素と、
前記内側構成要素と前記外側構成要素との間に設置されるトレランス・リングとを備える組立体であって、
前記トレランス・リングは、
複数の離散トレランス・リング・パネルであって、各トレランス・リング・パネルは未形成部分を含む円弧状の側壁と、前記円弧状の側壁から延在する少なくとも一つの突出部とを有する複数の離散トレランス・リング・パネル、を備え、
前記突出部は、前記円弧状の側壁の前記未形成部分によって囲われ、
前記トレランス・リングは、前記内側構成要素と前記外側構成要素との間の締まりばめで展開され前記内側構成要素と前記外側構成要素との間にトルク結合を提供し、前記トレランス・リングは、互いに対して前記パネルを適所で維持するために、前記パネルに固定される支持構造を更に有し、前記支持構造は前記トレランス・リングが前記内側構成要素と前記外側構成要素との間に設置された後に溶媒で除去されるように構成されている、組立体。
【請求項３】
前記支持構造は、高さＨＳＳを有し、前記各トレランス・リング・パネルは高さＨＰを有し、ＨＳＳ≦ＨＰである、請求項１記載のトレランス・リング。
【請求項４】
複数の離散トレランス・リング・パネルであって、各トレランス・リング・パネルは未形成部分を含む円弧状の側壁と、前記円弧状の側壁から延在する少なくとも一つの突出部とを有する複数の離散トレランス・リング・パネル、を備えるトレランス・リングであって、
前記突出部は、前記円弧状の側壁の前記未形成部分によって囲われ、
前記トレランス・リングは、内側構成要素と外側構成要素との間の締まりばめで展開され前記内側構成要素と前記外側構成要素との間にトルク結合を提供し、前記トレランス・リングは、互いに対して前記パネルを適所で維持するために、前記パネルに固定される支持構造を更に有し、前記支持構造は、リングを有する、トレランス・リング。
【請求項５】
内側構成要素と、
前記内側構成要素の周りに設置される外側構成要素と、
前記内側構成要素と前記外側構成要素との間に設置されるトレランス・リングとを備える組立体であって、
前記トレランス・リングは、
複数の離散トレランス・リング・パネルであって、各トレランス・リング・パネルは未形成部分を含む円弧状の側壁と、前記円弧状の側壁から延在する少なくとも一つの突出部とを有する複数の離散トレランス・リング・パネル、を備え、
前記突出部は、前記円弧状の側壁の前記未形成部分によって囲われ、
前記トレランス・リングは、前記内側構成要素と前記外側構成要素との間の締まりばめで展開され前記内側構成要素と前記外側構成要素との間にトルク結合を提供し、前記トレランス・リングは、互いに対して前記パネルを適所で維持するために、前記パネルに固定される支持構造を更に有し、前記支持構造は、リングを有する、組立体。
【請求項６】
前記リングは、分割リングを形成するように、前記リングを完全に通るよう延在している隙間を含む、請求項４記載のトレランス・リング。
【請求項７】
前記リングは、内周と外周を有し、前記トレランス・リング・パネルは前記内周、前記外周、または、前記内周と前記外周に取り付けられる、請求項４記載のトレランス・リング。
【請求項８】
複数の離散トレランス・リング・パネルであって、各トレランス・リング・パネルは未形成部分を含む円弧状の側壁と、前記円弧状の側壁から延在する少なくとも一つの突出部とを有する複数の離散トレランス・リング・パネル、を備えるトレランス・リングであって、
前記突出部は、前記円弧状の側壁の前記未形成部分によって囲われ、
前記トレランス・リングは、内側構成要素と外側構成要素との間の締まりばめで展開され前記内側構成要素と前記外側構成要素との間にトルク結合を提供し、前記トレランス・リングは、互いに対して前記パネルを適所で維持するために、前記パネルに固定される支持構造を更に有し、前記支持構造は、高さＨＳＳを有し、前記各トレランス・リング・パネルは高さＨＰを有し、ＨＳＳ≦ＨＰであり、前記支持構造は中空の薄肉シリンダを有する、トレランス・リング。
【請求項９】
内側構成要素と、
前記内側構成要素の周りに設置される外側構成要素と、
前記内側構成要素と前記外側構成要素との間に設置されるトレランス・リングとを備える組立体であって、
前記トレランス・リングは、
複数の離散トレランス・リング・パネルであって、各トレランス・リング・パネルは未形成部分を含む円弧状の側壁と、前記円弧状の側壁から延在する少なくとも一つの突出部とを有する複数の離散トレランス・リング・パネル、を備え、
前記突出部は、前記円弧状の側壁の前記未形成部分によって囲われ、
前記トレランス・リングは、前記内側構成要素と前記外側構成要素との間の締まりばめで展開され前記内側構成要素と前記外側構成要素との間にトルク結合を提供し、前記トレランス・リングは、互いに対して前記パネルを適所で維持するために、前記パネルに固定される支持構造を更に有し、前記支持構造は、高さＨＳＳを有し、前記各トレランス・リング・パネルは高さＨＰを有し、ＨＳＳ≦ＨＰであり、前記支持構造は中空の薄肉シリンダを有する、組立体。
【請求項１０】
前記シリンダは膜、金属化膜、または、箔を有する、請求項８記載のトレランス・リング。
【請求項１１】
前記シリンダは柔軟である、請求項８記載のトレランス・リング。
【請求項１２】
前記支持構造が、複数の離散支持構造であり、各離散支持構造は二枚の隣接するトレランス・リング・パネルに接続される、請求項３記載のトレランス・リング。
【請求項１３】
前記各離散支持構造はリングの一部分を含む、請求項１２記載のトレランス・リング。
【請求項１４】
前記各離散支持構造は中空の薄肉シリンダの一部分を含む、請求項１２記載のトレランス・リング。
【発明の詳細な説明】
【技術分野】
【０００１】
本開示は、一般的に、トレランス・リングに関わり、特に、ハード・ディスク・ドライ
ブ内のアクチュエータ・アーム用のトレランス・リングに関わる。
【背景技術】
【０００２】
本開示は、トレランス・リング組立体に関わり、トレランス・リングは組立体の部品間
の締まりばめを提供し、第１の部品の円筒部分が第２の部品の円筒ボアに位置する。特に
、本開示は、軸または軸受と軸用のハウジング等の円筒形の構成要素間に締まりばめを提
供するトレランス・リングを有する組立体に関わる。
【０００３】
エンジニアリング技法の改善により機械部品のより高い正確性が必要となったため、製
造費が高くなっている。プーリ、フライホイール、または、駆動軸等の用途でトルクを伝
達するために圧入、スプライン、ピン、またはキー溝が使用される箇所では非常に近いト
レランスが必要となる。
【０００４】
トレランス・リングは、トルクを伝達する必要がある部品間に締まりばめを提供するよ
う使用されてもよい。トレランス・リングは、正確な寸法に機械加工され得ない部品間に
締まりばめを提供する低コストの手段を提供する。トレランス・リングは、部品間の異な
る線膨張係数を補償する、迅速な装置の組み立てを可能にする、および、耐久性といった
幾つかの他の潜在的な利点を有する。
【０００５】
トレランス・リングは、一般的に、例えば、ばね鋼のような金属といった弾力材の片よ
りなり、その両端部は合わさってリング形状となる。一群の突起部は、リングから径方向
外方に延在するか、リングの中心に向かって径方向内方に延在する。通常、突起部は、構
造、例えば、コルゲーション、リッジ、または、波等の通常構造である。
【０００６】
リングが、例えば、軸と軸が位置するハウジングにおけるボアとの間の環状空間内に位
置されると、突起部は圧縮される。各突起部はばねとして作用し、軸とボアの表面に対し
て半径方向の力を与えて、軸とハウジングとの間に締まりばめを提供する。トレランス・
リングによってトルクが伝達されるため、ハウジングまたは軸の回転は、他方の軸または
ハウジングに同様の回転を生ずる。典型的には、一群の突起部は、形成部を有さないリン
グの環状領域（従来では、トレランス・リングの“未形成領域”）によって軸方向に側面
が守られている。
【０００７】
トレランス・リングは、通常、湾曲された弾力材の片よりなるため、片の両端部を重ね
ることでリングは簡単に形成できるが、トレランス・リングは環状の帯としても製造され
てもよい。以降使用する「トレランス・リング」といった用語は、両方のタイプのトレラ
ンス・リングを含む。以降使用する「軸」といった用語は、軸または軸受等の円筒部分を
含む全ての組立体構成要素を含む。
【０００８】
従って、産業では、トレランス・リング、特に、ハード・ディスク・ドライブ内に設置
されたトレランス・リングにおいて未だ改善が必要である。
【図面の簡単な説明】
【０００９】
当業者には、添付の図面を参照することで、本開示がより理解され、多数の特徴および
利点が明らかとなるであろう。
【００１０】
【図１】図１は、一実施形態によるハード・ディスク・ドライブ組立体の分解斜視図を示す。
【図２】図２は、一実施形態によるハード・ディスク・ドライブ組立体の断面図を示す。
【図３】図３は、一実施形態によるトレランス・リングの斜視図を示す。
【図４】図４は、別の実施形態によるトレランス・リングの斜視図を示す。
【図５】図５は、更なる別の実施形態によるトレランス・リングの斜視図を示す。
【図６】図６は、更なる別の実施形態によるトレランス・リングの斜視図を示す。
【図７】図７は、更なる別の実施形態によるトレランス・リングの斜視図を示す。
【図８】図８は、更なる別の実施形態によるトレランス・リングの斜視図を示す。  異なる図面において、同じ参照記号を使用して、同様または同一の要素を示している。
【発明を実施するための形態】
【００１１】
以下の説明は、トレランス・リング、特に、ピボット組立体とアクチュエータ・アーム
に形成されたボアとの間でハード・ディスク・ドライブ内に設置されたトレランス・リン
グに関わる。一態様では、トレランス・リングはピボット組立体の周りに嵌められ、続い
て、該組立体がボアに挿入される。あるいは、トレランス・リングはボアに挿入され、ピ
ボットがトレランス・リング中に挿入されてもよい。
【００１２】
典型的なトレランス・リングでは、波は一方の側に隙間を有し他方の側に材料を有する
ため、隙間に最も近い波が最も弱い、即ち、最も剛性が低い傾向にあり、トレランス・リ
ングの残りの波は両側が材料によって守られている。この剛性における変化により性能変
数、例えば、共振やアライメントはハード・ディスク・ドライブ組立体における隙間の位
置に大きく依存する。一つの性能パラメータについて隙間の場所を最適化しようとする試
みは、他の性能パラメータに悪影響を及ぼし得る。これは、同様に、全体的な性能に影響
し得る。
【００１３】
本願記載の一つ以上の実施形態によるトレランス・リングは、トレランス・リングの円
周の周りで等間隔に配置された複数の離散トレランス・リング・パネルを含み、トレラン
ス・リングは、トレランス・リングの中心通る軸とトレランス・リングの隙間をについて
対称的である。
【００１４】
本願記載のトレランス・リング・パネルによって提供される配置により、トレランス・
リングの周りで円周方向に実質的に変化しない共振周波数および剛性を有するトレランス
・リングを提供する。このようにして、トレランス・リングは、ボア内でピボット組立体
を一直線上に維持することができ、略全ての半径方向において通常の動作負荷下でのボア
内のポストの全ての振動を実質的に防ぐことができる。
【００１５】
図１を参照するに、ハード・ディスク・ドライブ組立体１００が示される。ハード・デ
ィスク・ドライブ組立体１００は、ハード・ディスク・ドライブ用のアクチュエータ・ア
ーム１０２およびピボット組立体１０４を含む。
【００１６】
図示するように、アクチュエータ・アーム１０２は近位端１１０と遠位端１１２を含む
。複数の読み取り／書き込みヘッド１１４はアクチュエータ・アーム１０２の遠位端１１
２から延在し得る。更に、アクチュエータ・アーム１０２には、アクチュエータ・アーム
１０２の近位端１１０の近傍でボア１１６が形成されている。
【００１７】
図１には、ピボット組立体１０４がピボット１２０とトレランス・リング１２２を有す
ることが更に示される。ピボット１２０は、内側部材１２４と外側部材１２６を有し、外
側部材１２６は内側部材１２４に対して回転することができる。
【００１８】
特定の態様では、トレランス・リング１２２がピボット１２０の周りに嵌合され、次に
、ピボット組立体１０４がボア１１６内に設置される。別の態様では、トレランス・リン
グ１２２はボア１１６内に位置され、ピボット１２０はトレランス・リング１２２に挿入
される。トレランス・リング１２２は、ピボット１２０の外側部材１２６とアクチュエー
タ・アーム１０２のボア１１６との間に締まりばめを確立することができる。このように
して、アクチュエータ・アーム１０２は、ピボット１２０の外側部材１２６がピボット１
２０の内側部材１２４の周りにある状態で回転することができる。
【００１９】
従って、図２に示すように、トレランス・リング１２２は、アクチュエータ・アーム１
０２等の外側構成要素と、ピボット１２０等の内側構成要素との間のボア１１６内に設置
され得る。特定の態様では、設置されると、トレランス・リング１２２のどの部分もボア
の上部または底部を超えて延在せず、トレランス・リング１２２はボア１１６内に完全に
収容される。別の態様では、トレランス・リング１２２の一部分、例えば、上部、底部、
上部にある構造、底部にある構造、または、これらの組み合わせ等がボアから延在しても
よい。
【００２０】
図２に示し、以下により詳細に説明するように、トレランス・リング１２２は、締まり
ばめでアクチュエータ・アーム１０２内でピボット１２０を維持するためにボア１１６の
内壁とピボット１２０の外壁を係合するよう構成される。トレランス・リング１２２は、
設置される際にピボット１２０の周りで拡大され、設置中にボア１１６内で少なくとも部
分的に変形または圧縮されることにより寸法が変化している。
【００２１】
図３を参照するに、トレランス・リング１２２に関わる詳細が示されている。上述のと
おり、トレランス・リング１２２は内側構成要素と外側構成要素との間でトルク結合を提
供するよう内側構成要素と外側構成要素との間の締まりばめにおいて配置されるよう構成
される。内側構成要素は、上述のピボット組立でもよく、外側構成要素は上述の通りハー
ド・ディスク・ドライブ組立体用のアクチュエータ・アームでもよい。
【００２２】
図示するように、トレランス・リング１２２は、複数の離散トレランス・リング・パネ
ル３００を含む。各トレランス・リング・パネル３００は、上部３０４と底部３０６を有
する円弧状の側壁３０２を含む。図３では、各トレランス・リング・パネル３００の円弧
状の側壁３０２は、円弧状の側壁３０２の上部３０４から延在する上フランジ部分３０８
と、円弧状の側壁３０２の底部３０６から延在する下フランジ部分３１０を有する。
【００２３】
特定の態様では、トレランス・リング・パネル３００は、円周方向に離間されてトレラ
ンス・リング１２２内に複数の隙間３１２を形成している。各隙間３１２は、円周幅ＷＧ
を有し、ＷＧはトレランス・リング１２２の周りで均一である。あるいは、ＷＧは、トレ
ランス・リング１２２の周りで可変でもよい。別の態様では、各トレランス・リング・パ
ネル３００は、円周幅ＷＰを有する。ＷＰはトレランス・リングの周りで均一である。別
の態様では、ＷＰは、トレランス・リングの周りで可変でもよい。
【００２４】
別の態様では、ＷＧは≦４００％ＷP、例えば、≦３００％ＷＰ、≦２００％ＷＰ、≦
１００％ＷＰ、または、≦５０％ＷＰである。更に、ＷＧは、≧１％ＷＰ、例えば、≧５
％ＷＰ、または、≧１０％ＷＰでもよい。別の態様では、ＷＧは、本願に記載する全ての
ＷＧの値を含む範囲内にある。例えば、ＷＧは、≦４００％ＷＰ、且つ、≧１％ＷＰ、例
えば、≦４００％ＷＰ、且つ、≧５％ＷＰ、≦４００％ＷＰ、且つ、≧１０％ＷＰである
。ＷＧは、≦３００％ＷＰ、且つ、≧１％ＷＰ、例えば、≦３００％ＷＰ、且つ、≧５％
ＷＰ、≦３００％ＷＰ、且つ、≧１０％ＷＰでもよい。ＷＧは、≦２００％ＷＰ、且つ、
≧１％ＷＰ、例えば、≦２００％ＷＰ、且つ、≧５％ＷＰ、≦２００％ＷＰ、且つ、≧１
０％ＷＰでもよい。更に、ＷＧは、≦１５０％ＷＰ、且つ、≧１％ＷＰ、例えば、≦１５
０％ＷＰ、且つ、≧５％ＷＰ、≦１５０％ＷＰ、且つ、≧１０％ＷＰでもよい。更に、Ｗ
Ｇは、≦１００％ＷＰ、且つ、≧１％ＷＰ、例えば、≦１００％ＷＰ、且つ、≧５％ＷＰ
、≦１００％ＷＰ、且つ、≧１０％ＷＰでもよい。
【００２５】
特定の実施形態では、トレランス・リング１２２は少なくとも２枚の離散トレランス・
リング・パネル３００を含み、例えば、少なくとも３枚の離散トレランス・リング・パネ
ル３００、少なくとも４枚の離散トレランス・リング・パネル３００、少なくとも５枚の
離散トレランス・リング・パネル３００、少なくとも６枚の離散トレランス・リング・パ
ネル３００、または、少なくとも８枚の離散トレランス・リング・パネル３００を含む。
更には、トレランス・リング１２２は、２０枚以下の離散トレランス・リング・パネル３
００を含んでもよい。更に、トレランス・リング１２２は、２枚以上２０枚以下の離散ト
レランス・リング・パネル３００を含み、例えば、３枚以上２０枚以下の離散トレランス
・リング・パネル３００、４枚以上２０枚以下の離散トレランス・リング・パネル３００
、５枚以上２０枚以下の離散トレランス・リング・パネル３００、６枚以上２０枚以下の
離散トレランス・リング・パネル３００、または、８枚以上２０枚以下の離散トレランス
・リング・パネル３００を含む。
【００２６】
トレランス・リング１２２は、中心軸３１４を有し、図２および図３に示すように特定
の態様では、フランジ部分３０８、３１０は、トレランス・リング１２２の中心軸３１４
に対して外方に角度が付けられている。フランジ部分３０８、３１０が中心軸３１４に対
して内方に角度が付けられてもよいことは理解されるであろう。いずれの場合でも、フラ
ンジ部分３０８、３１０は中心軸３１４に対して角度αを形成する。特定の態様では、α
は、≧５°、例えば、≧１０°、または、１５°でもよい。別の態様では、αは、≦３０
°、例えば、≦２５°、または、≦２０°である。別の態様では、αは、本願に記載する
αの全ての最大値と最小値を含むその範囲内にある。
【００２７】
例えば、αは、≧５°、且つ、≦３０°未満、例えば、≧５°、且つ、≦２５°、また
は、≧５°、且つ、≦２０°である。更に、αは、≧１０°、且つ、≦３０°未満、例え
ば、≧１０°、且つ、≦２５°、または、≧１０°、且つ、≦２０°でもよい。更に、α
は、≧１５°、且つ、≦３０°未満、例えば、≧１５°、且つ、≦２５°、または、≧１
５°、且つ、≦２０°でもよい。
【００２８】
図２により明確に示すように、トレランス・リング１２２は、トレランス・リング・パ
ネル３００の円弧状の側壁３０２の内面と、トレランス・リング・パネル３００の側壁３
０２に形成された壁構造の外面との間の距離である、全体的な壁厚さｔＯＷを有してもよ
い。更に、各フランジ部分３０８、３１０は、各フランジ部分３０８、３１０は、トレラ
ンス・リング・パネル３０の円弧状の側壁３０２の内面とフランジ部分３０８、３１０の
外縁との間の距離である、全体的なフランジ厚さｔＯＦを有するように、円弧状の側壁３
０２から延在する。特定の態様では、ｔＯＦは、≧３０％ｔＯＷ、例えば、≧３５％ｔＯ
Ｗ、≧４０％ｔＯＷ、≧４５％ｔＯＷ、≧５０％ｔＯＷ、≧５５％ｔＯＷ、または、≧６
０％ｔＯＷでもよい。更に、ｔＯＦは、≦９８％ｔＯＷ、例えば、≦９５％ｔＯＷ、≦９
０％ｔＯＷ、≦８５％ｔＯＷ、または、≦８０％ｔＯＷでもよい。別の態様では、ｔＯＦ
は、上述のｔＯＷの全てのパーセンテージ値を含むその範囲内にある。
【００２９】
例えば、ｔＯＦは、≧３０％ｔＯＷ、且つ、≦９８％ｔＯＷ、例えば、≧３０％ｔＯＷ
、且つ、≦９５％ｔＯＷ、≧３０％ｔＯＷ、且つ、≦９０％ｔＯＷ、≧３０％ｔＯＷ、且
つ、≦８５％ｔＯＷ、または、≧３０％ｔＯＷ、且つ、≦８０％ｔＯＷでもよい。更に、
ｔＯＦは、≧３５％ｔＯＷ、且つ、≦９８％ｔＯＷ、例えば、≧３５％ｔＯＷ、且つ、≦
９５％ｔＯＷ、≧３５％ｔＯＷ、且つ、≦９０％ｔＯＷ、≧３５％ｔＯＷ、且つ、≦８５
％ｔＯＷ、または、≧３５％ｔＯＷ、且つ、≦８０％ｔＯＷでもよい。更に、ｔＯＦは、
≧４０％ｔＯＷ、且つ、≦９８％ｔＯＷ、例えば、≧４０％ｔＯＷ、且つ、≦９５％ｔＯ
Ｗ、≧４０％ｔＯＷ、且つ、≦９０％ｔＯＷ、≧４０％ｔＯＷ、且つ、≦８５％ｔＯＷ、
または、≧４０％ｔＯＷ、且つ、≦８０％ｔＯＷでもよい。更に、ｔＯＦは、≧４５％ｔ
ＯＷ、且つ、≦９８％ｔＯＷ、例えば、≧４５％ｔＯＷ、且つ、≦９５％ｔＯＷ、≧４５
％ｔＯＷ、且つ、≦９０％ｔＯＷ、≧４５％ｔＯＷ、且つ、≦８５％ｔＯＷ、または、≧
４５％ｔＯＷ、且つ、≦８０％ｔＯＷでもよい。更に、ｔＯＦは、≧５０％ｔＯＷ、且つ
、≦９８％ｔＯＷ、例えば、≧５０％ｔＯＷ、且つ、≦９５％ｔＯＷ、≧５０％ｔＯＷ、
且つ、≦９０％ｔＯＷ、≧５０％ｔＯＷ、且つ、≦８５％ｔＯＷ、または、≧５０％ｔＯ
Ｗ、且つ、≦８０％ｔＯＷでもよい。別の態様では、ｔＯＦは、≧５５％ｔＯＷ、且つ、
≦９８％ｔＯＷ、例えば、≧５５％ｔＯＷ、且つ、≦９５％ｔＯＷ、≧５５％ｔＯＷ、且
つ、≦９０％ｔＯＷ、≧５５％ｔＯＷ、且つ、≦８５％ｔＯＷ、または、≧５５％ｔＯＷ
、且つ、≦８０％ｔＯＷでもよい。更に別の態様では、ｔＯＦは、≧６０％ｔＯＷ、且つ
、≦９８％ｔＯＷ、例えば、≧６０％ｔＯＷ、且つ、≦９５％ｔＯＷ、≧６０％ｔＯＷ、
且つ、≦９０％ｔＯＷ、≧６０％ｔＯＷ、且つ、≦８５％ｔＯＷ、または、≧６０％ｔＯ
Ｗ、且つ、≦８０％ｔＯＷでもよい。
【００３０】
図３に戻るに、円弧状の側壁３０２は未形成部分３２０を含み得る。少なくとも一つの
突出部３２２が円弧状の側壁３０２に形成されてもよく、円弧状の側壁３０２から延在し
てもよい。少なくとも一つの突出部３２２それぞれは、円弧状の側壁３０２の未形成部分
３２０によって囲われる。少なくとも一つの突出部３２２は、トレランス・リング１２２
の中心軸３１４に対して径方向内方に、径方向外方に、または、径方向内方と径方向外方
の両方に延在し得る。少なくとも一つの突出部３２２は、外側構成要素の内面、または、
内側構成要素の外面と接触するよう適応される。
【００３１】
フランジ部分３０８、３１０、および、中心軸３１４に対して内方向に延在する突出部
３２２を有するある実施形態では、ｔＯＷは、トレランス・リング・パネル３０２の円弧
状の側壁３０２の外面と、トレランス・リング・パネル３０２の円弧状の側壁３０２に形
成された壁構造の内面との間で測定される。更に、このような実施形態では、ｔＯＦは、
トレランス・リング・パネル３０２の円弧状の側壁３０２の外面と、フランジ部分３０８
、３１０の内縁との間で測定される。
【００３２】
各円弧状の側壁３０２に形成された少なくとも一つの突出部３２２は、トレランス・リ
ング・パネル３００の長さに沿って、単一の細長い波構造、または、トレランス・リング
・パネル３００の円弧状の側壁３０２に沿って互いと上下方向に整列された二つ以上の波
構造を含む波列を含んでもよい。
【００３３】
図３に例示するように、少なくとも一つの突出部３２２は、トレランス・リング・パネ
ル３００の円弧状の側壁３０２の上部３０６の近傍にある第１の波３３２、および、トレ
ランス・リング・パネル３００の円弧状の側壁３０４の底部３０８の近傍で第２の波３３
４を含む波列３３０を有する。特定の態様では、第１の波３３２は、トレランス・リング
・パネル３００の長さの上部半分内で中心化される。更に、第２の波３３４は、トレラン
ス・リング・パネル３００の長さの下半分内で中心化される。
【００３４】
図４乃至図８では、トレランス・リング１２２が、トレランス・リング・パネル３００
の位置を互いに対して維持するために、トレランス・リング・パネル３００に固定される
支持構造３５０を更に含むことを示す。図４は、支持構造３５０が、各トレランス・リン
グ・パネル３００の上部に取り付けられた第１のリング４００、および、各トレランス・
リング・パネル３００の底部に取り付けられた第２のリング４０２を含むことを示す。リ
ング４００、４０２は内周を含み、トレランス・リング・パネル３００はリング４００、
４０２の内周に取り付けられる。変形例では、トレランス・リング・パネル３００上の突
出部３２２は径方向内方に延在し得、トレランス・リング・パネル３００は第１および第
２のリング４００、４０２の外周に取り付けられる。別の態様では、トレランス・リング
・パネル３００は、リング４００、４０２の内周および外周に取り付けられる。このよう
な場合、トレランス・リング・パネル３００は、内方に向けられた突出部を有するパネル
と外方に向けられた突出部を有するパネルの組み合わせを含んでもよい。
【００３５】
更に、支持構造３５０は、各トレランス・リング・パネル３００の上部、各トレランス
・リング・パネル３００の底部、各トレランス・リング・パネル３００の中点、または、
上部と底部の間のトレランス・リング・パネル３００の任意の場所に取り付けられた単一
のリングを有する。
【００３６】
特定の態様では、図５に示すように、各リング４００、４０２は、リング４００、４０
２を完全に通るよう延在して分割リングを形成する隙間５００を含み得る。更に、各リン
グ４００、４０２は、変形可能である。更には、各リング４００、４０２は、内側構成要
素と外側構成要素との間にトレランス・リング・パネル３００が設置された後にリング４
００、４０２がトレランス・リング・パネル３００から取り外され得るよう、トレランス
・リング・パネル３００と取り外し可能に係合される。
【００３７】
別の態様では、各リング４００、４０２は、断面直径Ｄを有し、各円弧状パネルは未形
成部分で測定される厚さＴを有する。本態様では、Ｄは≧５０％Ｔ、例えば、≧６０％Ｔ
、または、≧７０％Ｔでもよい。更に、Ｄは、≦３００％Ｔ、例えば、≦２５０％Ｔ、≦
２００％Ｔ、≦１５０％Ｔ、または、≦１００％Ｔでもよい。別の態様では、Ｄは、本願
に記載するＤの全ての最大値と最小値を含むその範囲内にある。
【００３８】
例えば、Ｄは、≧５０％Ｔ、且つ、≦３００％Ｔ、例えば、≧５０％Ｔ、且つ、≦２５
０％Ｔ、≧５０％Ｔ、且つ、≦２００％Ｔ、≧５０％Ｔ、且つ、≦１５０％Ｔ、または、
≧５０％Ｔ、且つ、≦１００％Ｔでもよい。Ｄは、≧６０％Ｔ、且つ、≦３００％Ｔ、例
えば、≧６０％Ｔ、且つ、≦２５０％Ｔ、≧６０％Ｔ、且つ、≦２００％Ｔ、≧６０％Ｔ
、且つ、≦１５０％Ｔ、または、≧６０％Ｔ、且つ、≦１００％Ｔでもよい。更に、Ｄは
、≧７０％Ｔ、且つ、≦３００％Ｔ、例えば、≧７０％Ｔ、且つ、≦２５０％Ｔ、≧７０
％Ｔ、且つ、≦２００％Ｔ、≧７０％Ｔ、且つ、≦１５０％Ｔ、または、≧７０％Ｔ、且
つ、≦１００％Ｔでもよい。
【００３９】
別の態様では、図６に示すように、支持構造３５０は中空の薄肉シリンダ６００を含み
得る。シリンダ６００は連続的でもよく、または、シリンダ６００は、シリンダ６００が
その高さに沿って完全に分割されるようスロットまたは隙間６０２を有してもよい。図６
に示すように、シリンダ６００は、外面６０４を含む。外方に向けられた突出部３２２を
有するトレランス・リング・パネル３００は、シリンダの外面６０２に取り付けられ得る
。別の態様では、シリンダ６００は内面６０６を含み、内方に向けられた突出部を有する
トレランス・リング・パネル３００はシリンダの内面６０４に取り付けられる。
【００４０】
シリンダ６００は、膜、金属化膜、または、箔を含み得る。更に、シリンダ６００は、
例えば、水、アセトン、または、何等かの他の適当な溶媒で溶解可能である。したがって
、トレランス・リング３００が内側構成要素と外側構成要素との間に設置された後、組立
体は溶媒の中に浸らせられるか浴びせられて、シリンダが除去される。別の態様では、シ
リンダ６００は弾性または柔軟である。このような場合、シリンダ６００は、許容範囲内
の様々なサイズの軸の周りに嵌るよう拡大され得る。シリンダ６００の内面６０６または
外面６０４の少なくとも一部分が接着剤でコーティングされ、トレランス・リング・パネ
ル３００が接着剤を介してシリンダ６００に固定されてもよい。別の態様では、接着剤は
可溶性なため、設置後にシリンダはトレランス・リング３００から除去され得る。
【００４１】
特定の態様では、シリンダ６００は、側壁厚さＴＣを有し、各円弧状パネルはトレラン
ス・リング・パネルの未形成部分３２０で測定される厚さＴを有する。本態様では、ＴＣ
は≦１００％Ｔ、例えば、≦７５％Ｔ、≦５０％Ｔ、または、≦２５％Ｔでもよい。ＴＣ
は、≧１％Ｔ、例えば、≧２．５％Ｔ、または、≧５％Ｔでもよい。更に、ＴＣは、本願
に記載するＴＣの全ての値を含むその範囲内にある。
【００４２】
例えば、ＴＣは≦１００％Ｔ、且つ、≧１％Ｔ、例えば、≦１００％Ｔ、且つ、≧２．
５％Ｔ、または、≦１００％Ｔ、且つ、≧５％Ｔでもよい。ＴＣは≦７５％Ｔ、且つ、≧
１％Ｔ、例えば、≦７５％Ｔ、且つ、≧２．５％Ｔ、または、≦７５％Ｔ、且つ、≧５％
Ｔでもよい。更に、ＴＣは≦５０％Ｔ、且つ、≧１％Ｔ、例えば、≦５０％Ｔ、且つ、≧
２．５％Ｔ、または、≦５０％Ｔ、且つ、≧５％Ｔでもよい。また更に、ＴＣは≦２５％
Ｔ、且つ、≧１％Ｔ、例えば、≦２５％Ｔ、且つ、≧２．５％Ｔ、または、≦２５％Ｔ、
且つ、≧５％Ｔでもよい。
【００４３】
図７および図８を参照するに、支持構造３５０は、複数の離散支持構造７００を含む。
各離散支持構造７００は、二枚の隣接するトレランス・リング・パネル３００に接続され
得る。特に、各離散支持構造７００は、各トレランス・リング・パネル３００の縁に沿っ
て隣接するトレランス・リング・パネル３００に取り付けられる。更に、各離散支持構造
７００は、例えば、トレランス・リング・パネル・リング３００の外面上またはトレラン
ス・リング・パネル３００の内面上等、各隣接するトレランス・リング・パネル３００の
縁と僅かに重なり合う。
【００４４】
別の態様では、図７および図８に示すように、各離散支持構造７００は中空の薄肉シリ
ンダの一部分を含む。更に、各離散支持構造７００は膜、金属化膜、または、箔を含む。
更には、各離散支持構造７００は、弾性または柔軟である。特定の態様では、図７に示す
ように、各隣接する対のトレランス・リング・パネル３００は、離散支持構造７００に接
続され得る。しかしながら、図８に示すように、一つの離散支持構造７００を組立体から
除去して、二枚の隣接するトレランス・リング・パネル３００間に隙間８００を形成して
もよい。
【００４５】
別の態様では、各離散支持構造７００はリングの一部分を含む。更に、別の態様では、
各離散支持構造７００は、トレランス・リング・パネル３００の未形成部分３２０の壁厚
さよりも大きい厚さを有する。本態様では、各離散支持構造７００は、離散支持構造７０
０の各縁の長さに沿って形成される軸方向スロットを含み、各隣接するトレランス・リン
グ・パネル３００の縁は離散支持構造７００に形成されたそれぞれのスロットに嵌合され
得る。
【００４６】
本願記載の態様それぞれにおいて、各支持構造３５０は高さＨＳＳを有する。更に、各
トレランス・リング・パネル３００は、高さＨＰを有する。一態様では、ＨＳＳは、≦Ｈ
Ｐでもよい。例えば、ＨＳＳは、≦９５％ＨＰ、例えば、≦７５％ＨＰ、≦５０％ＨＰ、
または、≦２５％ＨＰでもよい。ＨＳＳは、≧１％ＨＰ、例えば、≧５％ＨＰ、または、
≧１０％ＨＰでもよい。本態様では、ＨＳＳは、ＨＳＳの全ての最大値と最小値を含むそ
の範囲内にある。
【００４７】
例えば、ＨＳＳは、≦９５％ＨＰ、且つ、≧１％ＨＰ、例えば、≦９５％ＨＰ、且つ、
≧５％ＨＰ、または、≦９５％ＨＰ、且つ、≧１０％ＨＰでもよい。更に、ＨＳＳは、≦
７５％ＨＰ、且つ、≧１％ＨＰ、例えば、≦７５％ＨＰ、且つ、≧５％ＨＰ、または、≦
７５％ＨＰ、且つ、≧１０％ＨＰでもよい。更に、ＨＳＳは、≦５０％ＨＰ、且つ、≧１
％ＨＰ、例えば、≦５０％ＨＰ、且つ、≧５％ＨＰ、または、≦５０％ＨＰ、且つ、≧１
０％ＨＰでもよい。また、ＨＳＳは、≦２５％ＨＰ、且つ、≧１％ＨＰ、例えば、≦２５
％ＨＰ、且つ、≧５％ＨＰ、または、≦２５％ＨＰ、且つ、≧１０％ＨＰでもよい。
【００４８】
別の態様では、支持構造３５０の除去を容易化するために、トレランス・リング・パネ
ル３００の上部を超えて支持構造３５０の一部分が延在するよう、ＨＳＳは≧ＨＰでもよ
い。例えば、ＨＳＳは、≧１０５％ＨＰ、例えば、≧１１０％ＨＰ、または、≧１２０％
ＨＰでもよい。本態様では、ＨＳＳは、≦２００％ＨＰ、例えば、≦１７５％ＨＰ、また
は、≦１５０％ＨＰでもよい。ＨＳＳは、本願に記載する全ての最大値と最小値を含むそ
の範囲内にある。
【００４９】
例えば、ＨＳＳは、≧１０５％ＨＰ、且つ、≦２００％ＨＰ、例えば、≧１０５％ＨＰ
、且つ、≦１７５％ＨＰ、または、≧１０５％ＨＰ、且つ、≦１５０％ＨＰでもよい。更
に、ＨＳＳは、≧１１０％ＨＰ、且つ、≦２００％ＨＰ、例えば、≧１１０％ＨＰ、且つ
、≦１７５％ＨＰ、または、≧１１０％ＨＰ、且つ、≦１５０％ＨＰでもよい。また、Ｈ
ＳＳは、≧１２０％ＨＰ、且つ、≦２００％ＨＰ、例えば、≧１２０％ＨＰ、且つ、≦１
７５％ＨＰ、または、≧１２０％ＨＰ、且つ、≦１５０％ＨＰでもよい。
【００５０】
更に別の態様では、支持構造３５０はトレランス・リング・パネル３００よりも短くて
もよいが、トレランス・リング・パネル３００の上部または底部を超えて支持構造３５０
の一部分が延在するようにして設置される。
【００５１】
特定の態様では、ピボット組立体１０４が、トレランス・リング１２２を間に配置して
アクチュエータ・アームのボア１１６内に設置されると、ピボット１２０とボア１１６の
中心軸はトレランス・リング１２２の中心軸３１４に沿って、あるいは、略沿って配置さ
れる。トレランス・リング１２２は、ボア１１６と、中心軸３１４に対して中心軸（長手
軸）に垂直な軸の回りでピボット１２０の中心軸が回転するアクチュエータ１０２に対す
るピボット１２０の振動運動に実質的に抵抗する軸方向の剛性を提供する。
【００５２】
拘束されない状態で放置されると、このような振動の動きにより、読み取り／書き込み
ヘッド１１４がハード・ディスクに接触する。該接触は望ましくなく、ハード・ディスク
・ドライブを故障させ得る。特定の態様では、トレランス・リング１２２を含む組立体の
周りの円周方向の様々な場所で測定された場合にトレランス・リング１２２の軸方向剛性
は大きく変化しない。例えば、隙間３１２を通るトレランス・リング１２２の軸方向剛性
ＡＳＧは、トレランス・リング１２２の隙間３１２および中心３１４を通る第１の方向に
測定される。隙間３１２に対して垂直なトレランス・リング１２２の軸方向剛性ＡＳＰＧ
は、第１の方向に対して垂直な第２の方向に測定され得る。ＡＳＧは、≧９０％ＡＳＰＧ
、例えば、≧９１％ＡＳＰＧ、≧９２％ＡＳＰＧ、≧９３％ＡＳＰＧ、≧９４％ＡＳＰＧ
、または、≧９５％ＡＳＰＧでもよい。更に、ＡＳＧは、≦１００％ＡＳＰＧ、≦９９％
、ＡＳＰＧ、≦９８％ＡＳＰＧ、≦９７％ＡＳＰＧ、または、≦９６％ＡＳＰＧでもよい
。更には、ＡＳＧは、上述のＡＳＰＧの全てのパーセンテージ値を含むその範囲内の値を
とり得る。
【００５３】
追加的には、トレランス・リング１２２の共振周波数は、トレランス・リング１２２が
設置された組立体の周りの円周方向の様々な場所で測定された場合に大きく変化しない。
例えば、隙間３１２を通るトレランス・リング１２２の共振周波数ＲＦＧは、トレランス
・リング１２２の隙間３１２および中心３１４を通る第１の方向に測定される。隙間３１
２に対して垂直なトレランス・リング１２２の共振周波数ＲＦＰＧは、第１の方向に対し
て垂直な第２の方向に測定され得る。ＲＦＧは、≧９０％ＲＦＰＧ、例えば、≧９１％Ｒ
ＦＰＧ、≧９２％ＲＦＰＧ、≧９３％ＲＦＰＧ、≧９４％ＲＦＰＧ、または、≧９５％Ｒ
ＦＰＧでもよい。更に、ＲＦＧは、≦１００％ＲＦＰＧ、≦９９％ＲＦＰＧ、≦９８％Ｒ
ＦＰＧ、≦９７％ＲＦＰＧ、または、≦９６％ＲＦＰＧでもよい。更には、ＲＦＧは、上
述のＲＦＰＧの全てのパーセンテージ値を含むその範囲内の値をとり得る。
【００５４】
図２および図３は、トレランス・リング１２２が一つの波ブランク３３０および一つの
未形成部分３２０を含むことを示す。他の態様では、トレランス・リング１２２は、二つ
の波ブランクおよび二つの未形成部分、三つの波ブランクおよび三つの未形成部分、四つ
の波ブランクおよび四つの未形成部分、五つの波ブランクおよび五つの未形成部分、六つ
の波ブランクおよび六つの未形成部分、等を含む。更に、各波ブランクは三つの波構造を
含むが、他の態様では、各波ブランクは一つの波構造、二つの波構造、四つの波構造、五
つの波構造、六つの波構造、等を含んでもよい。
【００５５】
特定の態様では、トレランス・リング、例えば、本願に記載する全てのトレランス・リ
ングは、本願で記載するように、組立後の内側構成要素の中心と外側構成要素の中心との
間の距離として測定される同芯度Ｃを提供する。Ｃは、≦５０μｍ、例えば、≦４５μｍ
、≦４０μｍ、≦３５μｍ、≦３０μｍ、≦２５μｍ、または、≦２０μｍでもよい。更
には、Ｃは≧１μｍ、例えば、Ｃ≧５μｍ、Ｃ≧１０μｍ、または、Ｃ≧１５μでもよい
。更に、Ｃは本願で記載する全てのＣの値を含むその範囲内の値をとり得る。
【００５６】
特定の態様では、本願記載の任意の態様によるトルク制限トレランス・リングは、金属
、金属合金、または、その組み合わせよりなる。金属は鉄類を含む。更に、金属は鋼を含
む。鋼は、オーステナイト系ステンレス鋼等のステンレス鋼を含む。また、鋼は、クロム
、ニッケル、または、その組み合わせよりなるステンレス鋼を含む。例えば、鋼はＸ１０
ＣｒＮｉ１８−８ステンレス鋼でもよい。更に、トレランス・リングは、ビッカーズ硬さ
ＶＰＮを有し、ＶＰＮは、≧３５０、例えば、≧３７５、≧４００、または、≧４２５で
もよい。ＶＰＮは、≦５００、例えば、≦４７５、または、≦４５０でもよい。ＶＰＮは
、本願記載の全てのＶＰＮ値を含むその間の範囲内の値を含み得る。
【００５７】
例えば、ＶＰＮは、≧３５０、且つ、≦５００、例えば、≧３５０、且つ、≦４７５、
または、≧３５０、且つ、≦４５０でもよい。ＶＰＮは、≧３７５、且つ、≦５００、例
えば、≧３７５、且つ、≦４７５、または、≧３７５、且つ、≦４５０でもよい。ＶＰＮ
は、≧４００、且つ、≦５００、例えば、≧４００、且つ、≦４７５、または、≧４００
、且つ、≦４５０でもよい。更に、ＶＰＮは、≧４２５、且つ、≦５００、例えば、≧４
２５、且つ、≦４７５、または、≧４２５、且つ、≦４５０でもよい。
【００５８】
別の態様では、トレランス・リングは、耐食性を向上するよう処理されてもよい。特に
、トレランス・リングは不動態化されてもよい。例えば、トレランス・リングは、ＡＳＴ
Ｍ規格Ａ９６７に応じて不動態化されてもよい。
【００５９】
別の態様では、トレランス・リングを形成するストック材料は厚さｔを有し、ｔは、≧
０．０７５ｍｍ、例えば、≧０．０８０ｍｍ、≧０．０８５ｍｍ、≧０．０８７ｍｍ、≧
０．０９０ｍｍ、≧０．０９５ｍｍ、または、≧０．１００ｍｍでもよい。別の態様では
、ｔは≦０．１１５ｍｍ、例えば、≦０．１１３ｍｍ、≦０．１１０ｍｍ、または、≦０
．１０５ｍｍでもよい。更に、ｔは、上述のｔの全ての値を含むその範囲内にある。
【００６０】
例えば、ｔは、≧０．０７５ｍｍ、且つ、≦０．１１５ｍｍ、例えば、≧０．０７５ｍ
ｍ、且つ、≦０．１１３ｍｍ、または、≧０．０７５ｍｍ、且つ、≦０．１１０ｍｍ、ま
たは、≧０．０７５ｍｍ、且つ、≦０．１０５ｍｍでもよい。本態様では、ｔは、≧０．
０８０ｍｍ、且つ、≦０．１１５ｍｍ、例えば、≧０．０８０ｍｍ、且つ、≦０．１１３
ｍｍ、または、≧０．０８０ｍｍ、且つ、≦０．１１０ｍｍ、または、≧０．０８０ｍｍ
、且つ、≦０．１０５ｍｍでもよい。更に、ｔは、≧０．０８５ｍｍ、且つ、≦０．１１
５ｍｍ、例えば、≧０．０８５ｍｍ、且つ、≦０．１１３ｍｍ、または、≧０．０８５ｍ
ｍ、且つ、≦０．１１０ｍｍ、または、≧０．０８５ｍｍ、且つ、≦０．１０５ｍｍでも
よい。更に、ｔは、≧０．０８７ｍｍ、且つ、≦０．１１５ｍｍ、例えば、≧０．０８７
ｍｍ、且つ、≦０．１１３ｍｍ、または、≧０．０８７ｍｍ、且つ、≦０．１１０ｍｍ、
または、≧０．０８７ｍｍ、且つ、≦０．１０５ｍｍでもよい。また更に、ｔは、≧０．
０９０ｍｍ、且つ、≦０．１１５ｍｍ、例えば、≧０．０９０ｍｍ、且つ、≦０．１１３
ｍｍ、または、≧０．０９０ｍｍ、且つ、≦０．１１０ｍｍ、または、≧０．０９０ｍｍ
、且つ、≦０．１０５ｍｍでもよい。更に、ｔは、≧０．０９５ｍｍ、且つ、≦０．１１
５ｍｍ、例えば、≧０．０９５ｍｍ、且つ、≦０．１１３ｍｍ、または、≧０．０９５ｍ
ｍ、且つ、≦０．１１０ｍｍ、または、≧０．０９５ｍｍ、且つ、≦０．１０５ｍｍでも
よい。更には、ｔは、≧０．１ｍｍ、且つ、≦０．１１５ｍｍ、例えば、≧０．１ｍｍ、
且つ、≦０．１１３ｍｍ、または、≧０．１ｍｍ、且つ、≦０．１１０ｍｍ、または、≧
０．１ｍｍ、且つ、≦０．１０５ｍｍでもよい。
【００６１】
本願記載の任意の態様によるトレランス・リングは、全体的な外径ＯＤを有し、ＯＤは
、≧５ｍｍ、例えば、≧６ｍｍ、≧７ｍｍ、≧８ｍｍ、または、≧９ｍｍでもよい。ＯＤ
は≦２０ｍｍ、例えば、≦１５ｍｍ、≦１４ｍｍ、≦１３ｍｍ、≦１２ｍｍ、または、≦
１０ｍｍでもよい。更に、ＯＤは、本願記載のＯＤの全ての値を含むその範囲内にある。
【００６２】
例えば、ＯＤは、≧５ｍｍ、且つ、≦２０ｍｍ、例えば、≧５ｍｍ、且つ、≦１５ｍｍ
、≧５ｍｍ、且つ、≦１４ｍｍ、≧５ｍｍ、且つ、≦１３ｍｍ、≧５ｍｍ、且つ、≦１２
ｍｍ、または、≧５ｍｍ、且つ、≦１０ｍｍでもよい。ＯＤは、≧６ｍｍ、且つ、≦２０
ｍｍ、例えば、≧６ｍｍ、且つ、≦１５ｍｍ、≧６ｍｍ、且つ、≦１４ｍｍ、≧６ｍｍ、
且つ、≦１３ｍｍ、≧６ｍｍ、且つ、≦１２ｍｍ、または、≧６ｍｍ、且つ、≦１０ｍｍ
でもよい。ＯＤは、≧７ｍｍ、且つ、≦２０ｍｍ、例えば、≧７ｍｍ、且つ、≦１５ｍｍ
、≧７ｍｍ、且つ、≦１４ｍｍ、≧７ｍｍ、且つ、≦１３ｍｍ、≧７ｍｍ、且つ、≦１２
ｍｍ、または、≧７ｍｍ、且つ、≦１０ｍｍでもよい。更に、ＯＤは、≧８ｍｍ、且つ、
≦２０ｍｍ、例えば、≧８ｍｍ、且つ、≦１５ｍｍ、≧８ｍｍ、且つ、≦１４ｍｍ、≧８
ｍｍ、且つ、≦１３ｍｍ、≧８ｍｍ、且つ、≦１２ｍｍ、または、≧８ｍｍ、且つ、≦１
０ｍｍでもよい。更に、ＯＤは、≧９ｍｍ、且つ、≦２０ｍｍ、例えば、≧９ｍｍ、且つ
、≦１５ｍｍ、≧９ｍｍ、且つ、≦１４ｍｍ、≧９ｍｍ、且つ、≦１３ｍｍ、≧９ｍｍ、
且つ、≦１２ｍｍ、または、≧９ｍｍ、且つ、≦１０ｍｍでもよい。
【００６３】
別の態様では、トレランス・リングは、全体的な軸方向長さＬを有し、Ｌは≦２０ｍｍ
、例えば、≦１７ｍｍ、≦１５ｍｍ、≦１４ｍｍ、または、≦１３ｍｍでもよい。Ｌは、
≧５ｍｍ、例えば、≧６ｍｍ、≧７ｍｍ、≧８ｍｍ、≧９ｍｍ、または、≧１０ｍｍでも
よい。更に、Ｌは、上述のＬの全ての値を含むその範囲内の値をとり得る。
【００６４】
例えば、Ｌは、≦２０ｍｍ、且つ、≧５ｍｍ、例えば、≦２０ｍｍ、且つ、≧６ｍｍ、
≦２０ｍｍ、且つ、≧７ｍｍ、≦２０ｍｍ、且つ、≧８ｍｍ、≦２０ｍｍ、且つ、≧９ｍ
ｍ、または、≦２０ｍｍ、且つ、≧１０ｍｍでもよい。Ｌは、≦１７ｍｍ、且つ、≧５ｍ
ｍ、例えば、≦１７ｍｍ、且つ、≧６ｍｍ、≦１７ｍｍ、且つ、≧７ｍｍ、≦１７ｍｍ、
且つ、≧８ｍｍ、≦１７ｍｍ、且つ、≧９ｍｍ、または、≦１７ｍｍ、且つ、≧１０ｍｍ
でもよい。Ｌは、≦１５ｍｍ、且つ、≧５ｍｍ、例えば、≦１５ｍｍ、且つ、≧６ｍｍ、
≦１５ｍｍ、且つ、≧７ｍｍ、≦１５ｍｍ、且つ、≧８ｍｍ、≦１５ｍｍ、且つ、≧９ｍ
ｍ、または、≦１５ｍｍ、且つ、≧１０ｍｍでもよい。Ｌは、≦１４ｍｍ、且つ、≧５ｍ
ｍ、例えば、≦１４ｍｍ、且つ、≧６ｍｍ、≦１４ｍｍ、且つ、≧７ｍｍ、≦１４ｍｍ、
且つ、≧８ｍｍ、≦１４ｍｍ、且つ、≧９ｍｍ、または、≦１４ｍｍ、且つ、≧１０ｍｍ
でもよい。また、Ｌは、≦１３ｍｍ、且つ、≧５ｍｍ、例えば、≦１３ｍｍ、且つ、≧６
ｍｍ、≦１３ｍｍ、且つ、≧７ｍｍ、≦１３ｍｍ、且つ、≧８ｍｍ、≦１３ｍｍ、且つ、
≧９ｍｍ、または、≦１３ｍｍ、且つ、≧１０ｍｍでもよい。
【００６５】
更には、本願に記載するトレランス・リング・パネルを形成するために使用されたスト
ック材料が切断され、スタンプされ、丸められることでトレランス・リングが形成される
と、結果として得られるトレランス・リング・パネルは実質的にバリを有さない。具体的
には、１０倍の倍率下でのトレランス・リングの外観検査においてはどの切断縁に沿って
もバリは可視できない。
【実施例】
【００６６】
トレランス・リングは、Ｘ１０ＣｒＮｉ１８−８ステンレス鋼ストックより製造される
。ステンレス鋼ストックは、０．１ｍｍ〜０．０１３の厚さを有する。更に、ステンレス
鋼ストックは、４００乃至４５０のＶＰＮを有し、ＡＳＴＭ規格Ａ９６７に応じて不動態
化される。形成されたトレランス・リングは八枚のトレランス・リング・パネルを含み、
各トレランス・リング・パネルには径方向外方に延在する二つの突出部が形成されている
。トレランス・リング・パネルは、トレランス・リングの周りに等間隔で離間されている
。更に、突出部は上下方向に整列している。
【００６７】
トレランス・リングは、ポストの周りに設置され、該組立体はリング内に設置される。
該組立体は、釣り糸を用いて懸架され、二つのレーザがリングの同じ側でリングの平坦面
に垂直に配置される。これらのレーザは互いに対して１８０度で配置される。一方のレー
ザは基準用レーザとして使用され、他方のレーザは測定用レーザとして使用される。リン
グは、力変換器が中に組み込まれたハマーを用いて測定レーザの下でタップされる。レー
ザと、ハマーの力変換器はマイクロプロセッサーに結合され、マイクロプロセッサーに入
力を供給する。
【００６８】
マイクロプロセッサーは、ハマーとレーザから供給される入力から共振周波数を形成す
るソフトウェアを含む。共振周波数は、トレランス・リングの軸方向剛性に直接的に関係
している。二つの対向する隙間を二等分し、組立体の中心を通る軸に沿って測定される共
振周波数は、第２の対の対向する隙間を通る第１の軸に対して垂直な軸に沿って測定され
た共振周波数に略等しい。このように、第１の対の対向する隙間を通る軸方向剛性は、第
１の対に対して垂直な第２の対の対向する隙間を通る軸方向剛性と本質的に同じである。
【００６９】
本願記載のトレランス・リングは、たとえあったとしても非常に小さいパネル間の力相
互作用を有するトレランス・リング・パネル配置を提供する。これら離散パネルは、互い
に対して本質的に隔離されており、トレランス・リングの周りで円周方向に実質的に変化
しない共振周波数および剛性を提供する。このように、トレランス・リングは、ボア内で
ポストを整列して維持することができ、略全ての径方向において正常な動作負荷下でのボ
ア内でのポストの全ての振動を実質的に防ぐことができる。
【００７０】
当業者には、本願記載の特徴を一つ以上有するトレランス・リングを利用する他の用途
が明らかであろう。
【００７１】
［付記１］  複数の離散トレランス・リング・パネルであって、各トレランス・リング
・パネルは未形成部分を含む円弧状の側壁を有し、円弧状の側壁から少なくとも一つの突
出部が延在する、複数の離散トレランス・リング・パネルを有するトレランス・リングで
あって、
突出部は、円弧状の側壁の未形成部分によって囲われ、
トレランス・リングは、内側構成要素と外側構成要素との間の締まりばめで展開され内
側構成要素と外側構成要素との間にトルク結合を提供する、トレランス・リング。
【００７２】
［付記２］  内側構成要素と、
内側構成要素の周りに設置される外側構成要素と、
内側構成要素と外側構成要素との間に設置されるトレランス・リングとを備える組立体
であって、
トレランス・リングは、
複数の離散トレランス・リング・パネルであって、各トレランス・リング・パネルは
未形成部分を含む円弧状の側壁を有し、円弧状の側壁から少なくとも一つの突出部が延在
する、複数の離散トレランス・リング・パネルを有し、
突出部は、円弧状の側壁の未形成部分によって囲われ、
トレランス・リングは、内側構成要素と外側構成要素との間の締まりばめで展開され
内側構成要素と外側構成要素との間にトルク結合を提供する、組立体。
【００７３】
［付記３］  複数の読み取り／書き込みヘッドが設けられたアクチュエータ・アームで
あって、ボアを含むアクチュエータ・アームと、
アクチュエータ・アームのボア内に設けられたピボット組立体と、
ピボット組立体の周りでボア内に設けられたトレランス・リングと、を備えるハード・
ディスク・ドライブ組立体であって、
トレランス・リングは、
複数の離散トレランス・リング・パネルであって、各トレランス・リング・パネルは
未形成部分を含む円弧状の側壁を有し、円弧状の側壁から少なくとも一つの突出部が延在
する、複数の離散トレランス・リング・パネルを有し、
突出部は、円弧状の側壁の未形成部分によって囲われ
トレランス・リングは、ピボット組立体とアクチュエータ・アームとの間の締まりばめ
で展開されピボット組立体とアクチュエータ・アームとの間にトルク結合を提供する、ハ
ード・ディスク・ドライブ組立体。
【００７４】
［付記４］  トレランス・リング・パネルは円周方向に離間されて、トレランス・リン
グ内に複数の隙間を形成する、付記１、２、または、３のうちいずれか１付記記載のトレ
ランス・リングまたは組立体。
【００７５】
［付記５］  各隙間は円周幅ＷＧを有し、ＷＧは、トレランス・リングの周りで均一  
である、付記４記載のトレランス・リングまたは組立体。
【００７６】
［付記６］  各隙間は円周幅ＷＧを有し、ＷＧは、トレランス・リングの周りで可変で
ある、付記４記載のトレランス・リングまたは組立体。
【００７７】
［付記７］  各隙間は円周幅ＷＧを有し、各パネルは円周幅ＷＰを有し、ＷＧ≦４００
％ＷＰ、例えば、≦３００％ＷＰ、≦２００％ＷＰ、≦１００％ＷＰ、または、≦５０％
ＷＰである、付記４記載のトレランス・リングまたは組立体。
【００７８】
［付記８］  ＷＧ≧１％ＷＰ、例えば、≧５％ＷＰ、または、≧１０％ＷＰである、付
記７記載のトレランス・リングまたは組立体。
【００７９】
［付記９］  各パネルは円周幅ＷＰを有し、ＷＰは、トレランス・リングの周りで均一
である、付記１、２、または、３のうちいずれか１付記記載のトレランス・リングまたは
組立体。
【００８０】
［付記１０］  各パネルは円周幅ＷＰを有し、ＷＰは、トレランス・リングの周りで可
変である、付記１、２、または、３のうちいずれか１付記記載のトレランス・リングまた
は組立体。
【００８１】
［付記１１］  トレランス・リングは少なくとも三枚の離散トレランス・リング・パネ
ルを含む、付記１、２、または、３のうちいずれか１付記記載のトレランス・リングまた
は組立体。
【００８２】
［付記１２］  トレランス・リングは少なくとも四枚の離散トレランス・リング・パネ
ルを含む、付記１１記載のトレランス・リングまたは組立体。
【００８３】
［付記１３］  トレランス・リングは少なくとも五枚の離散トレランス・リング・パネ
ルを含む、付記１２記載のトレランス・リングまたは組立体。
【００８４】
［付記１４］  トレランス・リングは少なくとも六枚の離散トレランス・リング・パネ
ルを含む、付記１３記載のトレランス・リングまたは組立体。
【００８５】
［付記１５］  トレランス・リングは少なくとも八枚の離散トレランス・リング・パネ
ルを含む、付記１３記載のトレランス・リングまたは組立体。
【００８６】
［付記１６］  トレランス・リングは２０枚以下の離散トレランス・リング・パネルを
含む、付記１５記載のトレランス・リングまたは組立体。
【００８７】
［付記１７］  互いに対してパネルを適所で維持するために、パネルに固定される支持
構造を更に有する、付記１、２、または、３のうちいずれか１付記記載のトレランス・リ
ングまたは組立体。
【００８８】
［付記１８］  支持構造は、高さＨＳＳを有し、各トレランス・リング・パネルは高さ
ＨＰを有し、ＨＳＳ≦ＨＰである、付記１７記載のトレランス・リングまたは組立体。
【００８９】
［付記１９］  ＨＳＳ≦９５％ＨＰ、例えば、≦７５％ＨＰ、≦５０％ＨＰ、または、
≦２５％ＨＰである、付記１８記載のトレランス・リングまたは組立体。
【００９０】
［付記２０］  ＨＳＳ≧１％ＨＰ、例えば、≧５％ＨＰ、または、≧１０％ＨＰである
、付記１９記載のトレランス・リングまたは組立体。
【００９１】
［付記２１］  支持構造は、リングを有する、付記１７記載のトレランス・リングまた
は組立体。
【００９２】
［付記２２］  リングは、リングを完全に通るよう延在して分割リングを形成する隙間
を含む、付記２１記載のトレランス・リングまたは組立体。
【００９３】
［付記２３］  リングは、変形可能である、付記２１記載のトレランス・リングまたは
組立体。
【００９４】
［付記２４］  リングは、断面直径Ｄを有し、各円弧状パネルは未形成部分で測定され
る厚さＴを有し、Ｄ≧５０％Ｔ、例えば、６０％Ｔ、または、７０％Ｔである、付記２１
記載のトレランス・リングまたは組立体。
【００９５】
［付記２５］  Ｄ≦３００％Ｔ、例えば、≦２５０％Ｔ、≦２００％Ｔ、≦１５０％Ｔ
、または、≦１００％Ｔである、付記２４記載のトレランス・リングまたは組立体。
【００９６】
［付記２６］  リングは、内周と外周を有し、トレランス・リング・パネルは内周、外
周、または、内周と外周に取り付けられる、付記２１記載のトレランス・リングまたは組
立体。
【００９７】
［付記２７］  リングはトレランス・リング・パネルと着脱可能に係合される、付記２
１記載のトレランス・リングまたは組立体。
【００９８】
［付記２８］  支持構造は中空の薄肉シリンダを有する、付記１７記載のトレランス・
リングまたは組立体。
【００９９】
［付記２９］  シリンダは内面を有し、トレランス・リング・パネルはシリンダの内面
に取り付けられる、付記２８記載のトレランス・リングまたは組立体。
【０１００】
［付記３０］  シリンダは外面を有し、トレランス・リング・パネルはシリンダの外面
に取り付けられる、付記２８記載のトレランス・リングまたは組立体。
【０１０１】
［付記３１］  シリンダは厚さＴＦを有し、各円弧状パネルは未形成部分で測定される
厚さＴを有し、ＴＦ≦１００％Ｔ、例えば、≦７５％Ｔ、≦５０％Ｔ、または、≦２５％
Ｔである、付記２８記載のトレランス・リングまたは組立体。
【０１０２】
［付記３２］  ＴＦ≧１％Ｔ、例えば、≧２．５％Ｔ、または、≧５％Ｔである、付記
３１記載のトレランス・リングまたは組立体。
【０１０３】
［付記３３］  シリンダは膜、金属化膜、または、箔を有する、付記２８記載のトレラ
ンス・リングまたは組立体。
【０１０４】
［付記３４］  シリンダは可溶性である、付記２８記載のトレランス・リングまたは組
立体。
【０１０５】
［付記３５］  シリンダは弾性である、付記２８記載のトレランス・リングまたは組立
体。
【０１０６】
［付記３６］  シリンダは柔軟である、付記２８記載のトレランス・リングまたは組立
体。
【０１０７】
［付記３７］  突出部は、各パネルの円弧状の側壁から径方向内方に、径方向外方に、
または、径方向内方に且つ径方向外方に延在する、付記１、２、または、３のうちいずれ
か１付記記載のトレランス・リングまたは組立体。
【０１０８】
［付記３８］  突出部は、外側構成要素の内面または内側構成要素の外面と接触するよ
う構成される、付記１、２、または、３のうちいずれか１付記記載のトレランス・リング
または組立体。
【０１０９】
［付記３９］  支持構造は、複数の離散支持構造を有し、各離散支持構造は二枚の隣接
するトレランス・リング・パネルに接続される、付記１７記載のトレランス・リングまた
は組立体。
【０１１０】
［付記４０］  各離散支持構造はリングの一部分を含む、付記３９記載のトレランス・
リングまたは組立体。
【０１１１】
［付記４１］  各離散支持構造は、中空の薄肉シリンダの一部分を含む、付記３９記載
のトレランス・リングまたは組立体。
【０１１２】
上述の技術的内容は制限的でなく例示的に過ぎず、添付の特許請求の範囲が本発明の真
の範囲内の全ての変更態様、改善、および、他の実施形態を網羅することが意図される。
そのため、法律によって許容される最大限の範囲において、本発明の範囲は、以下の特許
請求の範囲およびその等価物の最も広い許容可能な解釈によって決められ、前述の詳細な
説明によって制約または制限されてはならない。
【０１１３】
更に、前述の「発明を実施するための形態」では、本開示を合理化するために、様々な
特徴を組み合わせるか単一の実施形態において説明してもよい。本開示は、主張する実施
形態が各請求項に明示的に記載する特徴以上の特徴を必要とする、といった意図を反映し
ていると解釈されてはならない。以下の請求項が反映するように、本発明の技術的内容は
、任意の開示する実施形態の全ての特徴より少ない特徴に関わる。そのため、以下の請求
項は「発明を実施するための形態」に組み込まれ、各請求項は、それぞれ個別に主張する
技術的内容を定めている。
【図１】
0006487970.tif 000002
【図２】
0006487970.tif 000003
【図３】
0006487970.tif 000004
【図４】
0006487970.tif 000005
【図５】
0006487970.tif 000006
【図６】
0006487970.tif 000007
【図７】
0006487970.tif 000008
【図８】
0006487970.tif 000009